【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
動的な患者治療スケジューリングに適合可能な臨床決定支援を提供する点滴プランニングシステムであって、
順序付けられた点滴に関連付けられた少なくとも１つの点滴投与プロファイル図形を含み複数の患者治療を経時的に図形を用いて表すタイムスケジュールディスプレイを提示するグラフィカルユーザーインターフェースと、
スケジュール変更支援エンジンであって、
前記患者治療を管理するルールに準じてそれぞれが前記患者治療に対する１組の推奨される変更を含む複数の選択可能なスケジュールアップデートを提供するユーザーインターフェースディスプレイを含む、スケジュール変更支援エンジンと、を備える、点滴プランニングシステム。
【請求項２】
前記スケジュール変更支援エンジンが、前記選択可能なスケジュールアップデートのそれぞれの選択可能な図形による視覚的プレビューを提供する、請求項１に記載の点滴プランニングシステム。
【請求項３】
前記選択可能な図形による視覚的プレビューが、前記タイムスケジュールディスプレイ上に示される、請求項２に記載の点滴プランニングシステム。
【請求項４】
前記選択可能な図形による視覚的プレビューが、前記ユーザーインターフェースディスプレイ内で示される、請求項２に記載の点滴プランニングシステム。
【請求項５】
前記スケジュール変更支援エンジンが、前記複数の選択可能なスケジュールアップデートのうちの１つを実装するためにユーザー認証を要求する、請求項１に記載の点滴プランニングシステム。
【請求項６】
前記スケジュール変更支援エンジンからの前記複数の選択可能なスケジュールアップデートのうちの１つが、ドラッグアンドドロップツールを介して前記グラフィカルユーザーインターフェースへ実装され得る、請求項１に記載の点滴プランニングシステム。
【請求項７】
前記スケジュール変更支援エンジンの前記ユーザーインターフェースディスプレイが、前記タイムスケジュールディスプレイで前記複数の治療からの逸脱を示すシステムフィードバックが認識されるとき、ユーザーへ促す、請求項１に記載の点滴プランニングシステム。
【請求項８】
前記スケジュール変更支援エンジンの前記ユーザーインターフェースディスプレイが、ユーザー要求によって手動でアクセス可能になる、請求項１に記載の点滴プランニングシステム。
【請求項９】
前記スケジュール変更支援エンジンが、前記選択可能なスケジュールアップデートのうちの１つを最も好ましい１組の推奨される変更として識別する、請求項１に記載の点滴プランニングシステム。
【請求項１０】
動的な患者治療スケジューリングに適合可能な臨床決定支援を提供する点滴プランニングシステムであって、
コンピュータネットワークとインターフェース接続されたコンピューティングプラットフォームであって、処理装置、データ記憶装置、及び入力／出力機能を有するコンピューティングハードウエアと、前記コンピューティングハードウエア上に実装されたオペレーティングシステムとを含む、コンピューティングプラットフォームと、
命令であって、前記コンピューティングプラットフォーム上で実行されるとき、前記コンピューティングプラットフォームに、
複数の患者治療を経時的に図形を用いて表すタイムスケジュールディスプレイを提示するグラフィカルユーザーインターフェースと、
修正された患者治療の少なくとも１つの代替シーケンスを含む前記グラフィカルユーザーインターフェースの前記タイムスケジュールディスプレイ上で推奨されるスケジューリング調整のオプションを識別し、図形的に提示するスケジュール変更支援エンジンと、を実装させる命令と、を備える、点滴プランニングシステム。
【請求項１１】
動的な患者治療スケジューリングに適合可能な臨床決定支援を提供する点滴プランニングシステムであって、
少なくとも１つの点滴用ポンプにより投与される複数の点滴のスケジューリングを含む複数の患者治療のスケジューリングのためのグラフィカルユーザーインターフェースであって、前記グラフィカルユーザーインターフェースが、
少なくとも１つの特定日の間の時間間隔を表す複数の列を備えるタイムスケジュールディスプレイと、
投与のため順序付けられた点滴をそれぞれ表す複数の点滴バーと、
患者へ投与される薬剤の量及び投与に必要とされる期間の長さ両方を図示する、順序付けられた点滴それぞれに関連付けられた１つ以上の点滴投与プロファイル図形と、を備え、
前記点滴投与プロファイル図形が、対応する前記順序付けられた点滴に関連付けられた前記点滴バー内での移動のために構成され、そのため前記点滴投与プロファイル図形は前記順序付けられた点滴が投与をスケジューリングされる前記時間間隔を表す前記列と位置合わせされる、グラフィカルユーザーインターフェースと、
前記複数の患者治療のそれぞれを管理する割り当てられたルールに従って前記複数の患者治療に対する１組の推奨される変更をそれぞれ含む複数の選択可能なスケジュールアップデートを提供する、スケジュール変更支援エンジンと、を備え、
前記グラフィカルユーザーインターフェースが、前記選択可能なスケジュールアップデートの視覚的プレビューを提供する、点滴プランニングシステム。
【請求項１２】
前記グラフィカルユーザーインターフェースが、１つ以上の臨床的変更への応答を示す患者の履歴及びリアルタイムパラメータフィードバックを有するディスプレイを含む、請求項１１に記載の点滴プランニングシステム。
【請求項１３】
医療スケジューリングシステムのグラフィカルユーザーインターフェース内で使用されるスケジュール変更支援エンジンであって、
前記１つ以上の患者治療を管理するルールに準じて１つ以上の患者治療に対する１組の推奨される変更をそれぞれが含む複数の選択可能なスケジュールアップデートを提供するユーザーインターフェースディスプレイを含み、
前記複数の選択可能なスケジュールアップデートのそれぞれの選択可能な図形による
視覚的プレビューが、提供され、
前記１つ以上の患者治療のうちの少なくとも１つが、点滴である、スケジュール変更支援エンジン。
【請求項１４】
点滴プランニングシステムにおける患者のための治療スケジュールをアップデートする方法であって、
点滴プランニングシステムのグラフィカルユーザーインターフェースにおける１つ以上の点滴を含む予想患者治療の視覚的スケジュールを構築することと、
前記患者へ施された実際の患者治療に関するフィードバックデータを受信することと、
受信した前記フィードバックデータに基づき前記予想患者治療からの逸脱を検出することと、
逸脱が識別されたときスケジュール変更支援エンジンを有効にすることと、
前記スケジュール変更支援エンジンを使用して前記予想患者治療を修正するための複数のオプションを提供することと、
前記スケジュール変更支援エンジンにより提供される前記予想患者治療の修正のための前記複数のオプションのうちの１つの選択に基づいて、前記予想患者治療のスケジュール変更をすることと、を含む、方法。
【請求項１５】
前記患者へ施された実際の患者治療に関するフィードバックデータを受信することが、応答的な監視患者パラメータデータを受信することを含み、前記予想患者治療からの逸脱を検出することが、予想監視患者パラメータデータからの変更を検出することを含む、請求項１４に記載の方法。
【請求項１６】
医療用点滴を含む医療事象のスケジューリングのための点滴プランニングシステムであって、
グラフィカルユーザーインターフェースであって、
表示されるタイムラインの第１の部分上におけるこれからの患者治療のタイムラインベースの図形によるスケジュールと、
実際に施された１組の患者治療に関して受信されたフィードバックに基づき、照合済みの過去の患者治療及び未照合の過去の患者治療を表示するように構成される、前記表示されるタイムラインの第２の部分上における過去の患者治療のタイムラインベースの図形によるスケジュールと、を含む、グラフィカルユーザーインターフェース、を含む、点滴プランニングシステム。
【請求項１７】
未照合の過去の患者治療が、前記照合済みの過去の患者治療の外観から区別可能な第１の外観を反映する、請求項１６に記載の点滴プランニングシステム。
【請求項１８】
前記未照合の過去の患者治療が、グレースケールで示される、請求項１６に記載の点滴プランニングシステム。
【請求項１９】
権限を与えられた医療臨床医が、未照合の過去の医療事象を選択して照合済みの過去の患者治療へ変換することを許可される、請求項１６に記載の点滴プランニングシステム。
【請求項２０】
前記権限を与えられた医療臨床医が、システムの選択時間で未照合の過去の治療を見直すように促される、請求項１９に記載の点滴プランニングシステム。
【請求項２１】
前記グラフィカルユーザーインターフェース上に表示される前記患者治療が、特定の患者治療に関連付けられた設定基準のリストを提供するユーザー選択可能なアイコンを含む、請求項１６に記載の点滴プランニングシステム。
【請求項２２】
前記グラフィカルユーザーインターフェースが、前記現在及び過去の患者の診断状態を示す患者パラメータフィードバックのリアルタイムディスプレイを含む、請求項１６に記載の点滴プランニングシステム。